(57)【要約】      （修正有）【課題】現在視聴中のチャンネルを他のテレビジョン受像機に表示させたり、テレビジョン受像機相互間で伝言を表示させて、ユーザーの利便性を格段に高めることができる共同聴視システムを提供する。【解決手段】複数台のテレビジョン受像機を、電力線により搬送波通信を行うＰＬＣ用のモデムを介してネットワーク接続し、入力手段で任意のチャンネルが選局されると、そのチャンネルデータを前記モデム側から他のテレビジョン受像機側に送信させ、前記入力手段から通知指令があると、画面に複数の通知情報を表示させ、その何れかが選択され、かつ、通知先が指定されると、当該通知情報を前記モデム側から通知先のテレビジョン受像機側に送信させる。一方、前記モデム側から送信されてきた識別情報から送信元を特定し、前記チャンネルデータや前記通知情報が送信されてきたときは、前記画面にその送信元とともにチャンネルや通知内容を表示させる。【選択図】図２
2008311774.tif 000002
【特許請求の範囲】
【請求項１】
複数台のテレビジョン受像機を、信号伝送用の中継機を介してネットワーク接続し、所定の周波数帯域で情報を相互に送受信する共同聴視システムであって、
前記テレビジョン受像機の動作、設定および画面表示等に関した情報を入力する入力手段と、
前記テレビジョン受像機の設定情報、前記画面に表示させる通知情報、前記各テレビジョン受像機にそれぞれ割り当てる識別情報を記憶する第１記憶手段と、
前記通知情報報を一時記憶する第２記憶手段と、
前記画面にメニューや前記設定情報を表示させるとともに、前記画面に表示される映像に重ねてテレビジョン放送のチャンネルや前記通知情報を表示させる表示手段と、
前記入力手段からの設定指令を受けて前記表示手段を動作させることにより前記画面にメニューを表示させ、このメニュー項目のうち識別情報設定が選択されると、当該テレビジョン受像機に固有の識別情報を付与して前記第１記憶手段に記憶させた後、前記入力手段で任意のチャンネルが選局されると、そのチャンネルデータを前記中継機側から他のテレビジョン受像機側に送信させ、前記入力手段から通知指令があると、前記画面に複数の通知情報を表示させ、その何れかが選択され、かつ、通知先が指定されると前記第１記憶手段の識別情報から通知先を特定して、当該通知情報を前記中継機側から通知先のテレビジョン受像機側に送信させる一方、
前記中継機側から識別情報が送信されてきたときは、前記第１記憶手段に記憶させ、次いで、前記チャンネルデータや前記通知情報が送信されてきたときは、前記第２記憶手段に一時記憶させ、かつ、前記第１記憶手段の識別情報から送信元を特定して、前記画面にその送信元とともにチャンネルや通知内容を表示させる制御を行う制御手段と、を備えた共同聴視システム。
【請求項２】
前記中継機が、電力線により搬送波通信を行うＰＬＣ（Power Line Communication）用のモデムであることを特徴とする請求項１に記載の共同聴視システム。
【請求項３】
前記設定情報が、前記複数台のテレビジョン受像機のうち、１台を親機とし、他を子機とするメニュー項目を含むことを特徴とする請求項１に記載の共同聴視システム。
【請求項４】
前記識別情報が、前記親機および子機を識別し、かつ、他のシステムと混同しないアドレスデータからなることを特徴とする請求項１または３に記載の共同聴視システム。
【請求項５】
前記通知情報が、連絡や呼び出し等を含む日常生活に関した各種の情報であることを特徴とする請求項１に記載の共同聴視システム。
【請求項６】
前記テレビジョン受像機が、前面パネルに電源オン用とオフ用の表示灯を設けており、前記制御部が、前記通知情報を受けたとき、前記電源がオンかオフかをチェックし、電源オフのときに前記オフ用表示灯を点滅させることを特徴とする請求項１に記載の共同聴視システム。
【請求項７】
複数台のテレビジョン受像機を、電力線により搬送波通信を行うＰＬＣ用のモデムを介してネットワーク接続し、所定の周波数帯域で情報を相互に送受信する共同聴視システムであって、
前記テレビジョン受像機の動作、設定および画面表示等に関した情報を入力する入力手段と、
前記テレビジョン受像機の１台を親機とし、他を子機とする設定情報、前記画面に表示させる連絡や呼び出し等の通知情報、前記各テレビジョン受像機にそれぞれ割り当てる識別情報を記憶する第１記憶手段と、
前記通知情報報を一時記憶する第２記憶手段と、
前記画面にメニューや前記設定情報を表示させるとともに、前記画面に表示される映像に重ねてテレビジョン放送のチャンネルや前記通知情報を表示させる表示手段と、
前記入力手段からの設定指令を受けて前記表示手段を動作させることにより前記画面にメニューを表示させ、このメニュー項目のうち識別情報設定が選択されると、当該テレビジョン受像機に固有の識別情報を付与して前記第１記憶手段に記憶させた後、前記入力手段で任意のチャンネルが選局されると、そのチャンネルデータを前記モデム側から他のテレビジョン受像機側に送信させ、前記入力手段から通知指令があると、前記画面に複数の通知情報を表示させ、その何れかが選択され、かつ、通知先が指定されると前記第１記憶手段の識別情報から通知先を特定して、当該通知情報を前記モデム側から通知先のテレビジョン受像機側に送信させる一方、
前記モデム側から識別情報が送信されてきたときは、前記第１記憶手段に記憶させ、次いで、前記チャンネルデータや前記通知情報が送信されてきたときは、前記第２記憶手段に一時記憶させ、かつ、前記第１記憶手段の識別情報から送信元を特定して、前記画面にその送信元とともにチャンネルや通知内容を表示させる制御を行う制御手段と、を備えた共同聴視システム。
【発明の詳細な説明】
【技術分野】
【０００１】
本発明は、テレビジョン受像機を備えた共同聴視システムに係り、特に、他のテレビジョン受像機の画面に視聴状況や伝言等を表示可能とする共同聴視システムに関する。
【背景技術】
【０００２】
モニタを備えたＡＶ機器では、画面に映像を映し出した状態で各種の情報を重ねて表示させることが行われている。
その一例として、ＡＶ機器のモニタに映し出される映像の視認性を損なわないようにすることを目的とした車載システム及び車載システムにおける注意喚起方法が提案されている。
この車載システムは、フロントシート搭乗ユーザ用の表示装置であるフロントモニタと、リアシート搭乗ユーザ用の表示装置であるリアモニタと、フロントモニタにユーザの走行を案内するための案内画面を表示出力するナビゲーション装置と、映像をリアモニタに表示出力するＡＶ機器等を備えている。
なお、ナビゲーション装置は、予測手段およびリアメッセージ出力手段とを具備している。
【０００３】
前記予測手段は、道路地図を表す地図データと車両の現在の走行地点とに基づいて、車両の急峻な運動の発生を予測する。また、リアメッセージ出力手段は、予測手段が車両の急峻な運動の発生を予測した場合に、リアシート搭乗ユーザに予測した急峻な運動の発生を予告するメッセージを生成して出力するようになっている。
そして、この車載システムは、メッセージ提示手段を有しており、ＡＶ機器からの映像を表示しているリアモニタに、リアメッセージ出力手段が出力したメッセージを一時的に表示する構成になっている。
【０００４】
この車載システムは、車両が急カーブの開始地点等に接近すると、リアシート搭乗ユーザの注意を喚起するメッセージをリアモニタに表示させる。
よって、リアシート搭乗ユーザは、ＡＶ機器からの映像を楽しみながらも、車両の挙動を認知し、この挙動に対する準備を行えるというものである。
【０００５】
【特許文献１】特開２００５−３１７８７号公報
【発明の開示】
【発明が解決しようとする課題】
【０００６】
ところで、上記特許文献１の発明は、リアシート搭乗ユーザ側のリアモニタにメッセージを一時的に表示できるが、複数台のモニタ相互間でサインやメッセージを表示することはできないものである。
例えば、モニタがテレビ放送番組を映しだす機能を備えている場合、あるモニタが現在選局しているチャンネルを他のモニタに表示させることはできなかった。
また、予め各種のサインやメッセージを登録設定しておき、あるモニタから他のモニタまたは全モニタに対し、特定のサインやメッセージを送って画面に表示させる、といったことも不可能であった。
【０００７】
本発明は、上記課題に鑑みてなされたもので、現在視聴中のチャンネルを他のテレビジョン受像機に表示させたり、テレビジョン受像機相互間で伝言を表示させて、ユーザーの利便性を格段に高めることができる共同聴視システムを提供することを目的としている。                 
【課題を解決するための手段】
【０００８】
上記目的を達成するため、本発明は、複数台のテレビジョン受像機を、信号伝送用の中継機を介してネットワーク接続し、所定の周波数帯域で情報を相互に送受信する共同聴視システムであって、前記テレビジョン受像機の動作、設定および画面表示等に関した情報を入力する入力手段と、前記テレビジョン受像機の設定情報、前記画面に表示させる通知情報、前記各テレビジョン受像機にそれぞれ割り当てる識別情報を記憶する第１記憶手段と、前記通知情報報を一時記憶する第２記憶手段と、前記画面にメニューや前記設定情報を表示させるとともに、前記画面に表示される映像に重ねてテレビジョン放送のチャンネルや前記通知情報を表示させる表示手段と、前記入力手段からの設定指令を受けて前記表示手段を動作させることにより前記画面にメニューを表示させ、このメニュー項目のうち識別情報設定が選択されると、当該テレビジョン受像機に固有の識別情報を付与して前記第１記憶手段に記憶させた後、前記入力手段で任意のチャンネルが選局されると、そのチャンネルデータを前記中継機側から他のテレビジョン受像機側に送信させ、前記入力手段から通知指令があると、前記画面に複数の通知情報を表示させ、その何れかが選択され、かつ、通知先が指定されると前記第１記憶手段の識別情報から通知先を特定して、当該通知情報を前記中継機側から通知先のテレビジョン受像機側に送信させる一方、前記中継機側から識別情報が送信されてきたときは、前記第１記憶手段に記憶させ、次いで、前記チャンネルデータや前記通知情報が送信されてきたときは、前記第２記憶手段に一時記憶させ、かつ、前記第１記憶手段の識別情報から送信元を特定して、前記画面にその送信元とともにチャンネルや通知内容を表示させる制御を行う制御手段と、を備えたことを特徴としている。
【０００９】
また、前記中継機が、電力線により搬送波通信を行うＰＬＣ用のモデムであることを特徴としている。
また、前記設定情報が、前記複数台のテレビジョン受像機のうち、１台を親機とし、他を子機とするメニュー項目を含むことを特徴としている。
また、前記識別情報が、前記親機および子機を識別し、かつ、他のシステムと混同しないアドレスデータからなることを特徴としている。
また、前記通知情報が、連絡や呼び出し等を含む日常生活に関した各種の情報であることを特徴としている。
また、前記テレビジョン受像機が、前面パネルに電源オン用とオフ用の表示灯を設けており、前記制御部が、前記通知情報を受けたとき、前記電源がオンかオフかをチェックし、電源オフのときに前記オフ用表示灯を点滅させることを特徴としている。
【００１０】
さらに、複数台のテレビジョン受像機を、電力線により搬送波通信を行うＰＬＣ用のモデムを介してネットワーク接続し、所定の周波数帯域で情報を相互に送受信する共同聴視システムであって、前記テレビジョン受像機の動作、設定および画面表示等に関した情報を入力する入力手段と、前記テレビジョン受像機の１台を親機とし、他を子機とする設定情報、前記画面に表示させる連絡や呼び出し等の通知情報、前記各テレビジョン受像機にそれぞれ割り当てる識別情報を記憶する第１記憶手段と、前記通知情報報を一時記憶する第２記憶手段と、前記画面にメニューや前記設定情報を表示させるとともに、前記画面に表示される映像に重ねてテレビジョン放送のチャンネルや前記通知情報を表示させる表示手段と、前記入力手段からの設定指令を受けて前記表示手段を動作させることにより前記画面にメニューを表示させ、このメニュー項目のうち識別情報設定が選択されると、当該テレビジョン受像機に固有の識別情報を付与して前記第１記憶手段に記憶させた後、前記入力手段で任意のチャンネルが選局されると、そのチャンネルデータを前記モデム側から他のテレビジョン受像機側に送信させ、前記入力手段から通知指令があると、前記画面に複数の通知情報を表示させ、その何れかが選択され、かつ、通知先が指定されると前記第１記憶手段の識別情報から通知先を特定して、当該通知情報を前記モデム側から通知先のテレビジョン受像機側に送信させる一方、前記モデム側から識別情報が送信されてきたときは、前記第１記憶手段に記憶させ、次いで、前記チャンネルデータや前記通知情報が送信されてきたときは、前記第２記憶手段に一時記憶させ、かつ、前記第１記憶手段の識別情報から送信元を特定して、前記画面にその送信元とともにチャンネルや通知内容を表示させる制御を行う制御手段と、を備えたことを特徴としている。
【発明の効果】
【００１１】
以上説明したように、本発明による共同聴視システムは、信号伝送用の中継機を介してネットワーク接続された複数台のテレビジョン受像機の何れかから、離れた部屋に設置された特定の台数または全てにチャンネルデータや通知情報を送出すると、これを受けたテレビジョン受像機の画面にチャンネルまたは通知情報が表示されるので、同一チャンネルを視聴しているユーザーは通知元のテレビジョン受像機側で共に視聴することができ、不経済な問題が回避される。
加えて、放送番組を視聴しながら、各種の通知を受け取ることができるので、生活上の利便性が格段に拡がるといった効果がある。
【００１２】
また、前記中継機が、電力線により搬送波通信を行うＰＬＣ用のモデムであることから、一般家庭で使用されている複数台のテレビジョン受像機が簡易にネットワーク接続され、相互の通信や情報交換を行える利点がある。
また、前記設定情報が、前記複数台のテレビジョン受像機のうち、１台を親機とし、他を子機とするメニュー項目を含むことから、このメニュー項目で簡易に親機と子機とを設定することにより、通信障害等のトラブルが発生することなく相互の通信や情報交換を行える利点がある。
また、前記識別情報が、前記親機および子機を識別し、かつ、他のシステムと混同しないアドレスデータからなるので、隣家や近接した建物との間で混信等のトラブルが発生することなく相互の通信や情報交換を行える利点がある。
また、前記通知情報が、連絡や呼び出し等を含む日常生活に関した各種の情報であることから、特別な通信機器を用いる必要なく、離れた部屋のユーザーに対し簡便に通知ができる利点がある。
また、前記テレビジョン受像機が、前記通知情報を受けたとき、電源オフであると制御部がオフ用表示灯を点滅させることから、テレビジョン受像機がオフ状態であっても、何かの通知があったことに気付くことができる利点がある。
【００１３】
さらに、信号伝送用のＰＬＣモデムを介してネットワーク接続された複数台のテレビジョン受像機の何れかから、離れた部屋に設置された特定の台数または全てにチャンネルデータや通知情報を送出すると、これを受けたテレビジョン受像機の画面にチャンネルまたは通知情報が表示されるので、同一チャンネルを視聴しているユーザーは通知元のテレビジョン受像機側で共に視聴することができ、不経済な問題が回避される。
加えて、放送番組を視聴しながら、各種の通知を受け取ることができるので、生活上の利便性が格段に拡がるといった効果がある。
【発明を実施するための最良の形態】
【００１４】
以下、本発明に係る共同聴視システムの実施形態について、図面を参照しながら詳述する。
図１は、本発明の一実施形態である共同聴視システムが適用された家屋を示す概要説明図である。
本実施形態の共同聴視システムは、一般家屋に設置された複数台のテレビジョン受像機（テレビ）を宅内系ＰＬＣ（Power Line Communication）ネットワークにより接続し、視聴情報や伝言等を相互に送受信してテレビの画面に表示可能な構成となっている。
【００１５】
本例の家屋Ｈは、２階建てであり、１階１Ｆにテレビ１Ａ，１Ｂを２台設置し、２階２Ｆにテレビ１Ｃを１台設置している。
各テレビ１Ａ，１Ｂ，１Ｃは、コンセントＣに接続されて、低圧電力線Ｌからの商用交流電源が導入されており、同軸ケーブルを介してアンテナからの受信放送信号が導かれている。
これらのテレビ１Ａ，１Ｂ，１Ｃは、普及型のテレビが有する一般の機能に加え、モデム１１を備えており、宅内系ＰＬＣによって電力線通信が可能となっている。
【００１６】
このＰＬＣは、ユーザー宅内の機器間通信であり、同一の低圧電力線Ｌおよび周波数帯を使用するため、混信回避方式を採用している。
この混信回避方式は、利用する周波数帯を宅内系ＰＬＣ毎に割り当てるようにして、隣家との混信を回避できるになっている。
この宅内系ＰＬＣには、文字、記号およびサイン等のデータ通信を行うため専用帯域を設けている。
【００１７】
図２は、共同聴視システムのテレビの概要構成を示す電気的ブロック線図である。
このテレビ１は、図示省略したチューナに、テレビジョン放送の信号が導入されている。
このチューナには、制御部１０の指令信号が導かれ、テレビ本体のキー操作部またはリモコン８の入力操作に基づく制御部１０の指令により、選局されたチャンネルの受信信号を信号処理部２に送出する。
この信号処理部２には、映像信号処理回路や音声信号処理回路が接続されていて、制御部１０の制御に基づき映像・音声信号等を処理する。
【００１８】
３は表示制御部であり、出力がモニタ４に接続されていて、制御部１０の制御に従い文字、記号およびサイン等をモニタ４に表示させる。
５は点灯制御部であり、表示灯として赤色および緑色のＬＥＤ６が接続されていて、制御部１０の制御に基づきこれらの点灯を制御する。
赤色および緑色ＬＥＤ６は、テレビのフロントパネルに設けられており、点灯制御部５が赤色ＬＥＤ６を点灯させたときはテレビのオフ状態を示す一方、緑色ＬＥＤ６を点灯させたときはオン状態を示す。
なお、本例では、当該テレビに伝言が入力したことを示すために、点灯制御部５が赤色ＬＥＤ６を点滅させるようになっている。
【００１９】
７はＯＳＤ（On Screen Display）であり、制御部１０の制御に従って、チャンネル番号や各種伝言等のキャラクタデータを出力する。
８はリモコンであり、普及型の機種と同様の各種機能キーを備えている。そして、メニューキー、決定キーによって各種の設定ができるようになっている。
このリモコン８は、何れかのキーが押圧操作されると、この操作内容に応じた指令信号が赤外線信号で送信され、受信部９を介して制御部１０側に送られる。
なお、テンキーには、テレビに子機番号を付与したり、複数種の伝言に番号を付ける場合に、各キーが割り当てられる。
【００２０】
制御部１０は、テレビ全体の動作を制御するもので、前記回路各部とその機能に応じて一方向または双方向性に接続されている。
この制御部１０は、メモリ１０ａ、キャッシュメモリ（キャッシュ）１０ｂを備えている。
メモリ１０ａには、所定のエリヤに受信チャンネルのデータ、伝言用の文字データ、テレビ識別用のアドレスデータ等が記憶される。
また、キャッシュ１０ｂは、チャンネルのデータ、伝言データ等を一時記憶する。
【００２１】
この制御部１０は、リモコン８またはキー操作部の指令に応じて映像・音声信号の表示に関した動作を制御する。
また、この制御部１０は、モデム１１と双方向性に接続されており、前記ＰＬＣを介して他のテレビとの間で視聴情報や伝言等を相互に送受信する動作制御を行う。
また、表示制御部３を制御することにより、モニタ４の画面にメニュー項目を表示させ、順次入力する指令に応じて各種の設定を実行する。さらに、この設定に基づいて、動作制御を行う構成となっている。
【００２２】
図３は、共同聴視システムのモデムの概要構成を示す電気的ブロック線図である。
このモデム１１は、主要部としてフィルタ１２、変復調部１３およびデータ送受信部１４を備えて構成され、テレビ１の電源部および制御部１０と接続されている。
フィルタ１２は、設定された通信帯域のみを通過させ、変復調部１３に伝送する。変復調部１３は、送信信号を変調する機能と受信信号を復調する機能とからなり、データ送受信部１４と接続されている。
このデータ送受信部１４は、アナログ信号をディジタル信号に変換するＡ／Ｄ変換器、ディジタル信号をアナログ信号に変換するＤ／Ａ変換器等を備えて構成されており、Ｉ／Ｏポートを介して前記制御部１０と接続されている。
【００２３】
次に、上記共同聴視システムの動作について、図を参照しつつ説明する。
この共同聴視システムを使用するに際しては、予めユーザーの居宅Ｈに設置された各テレビ１Ａ，１Ｂ，１Ｃで各種の設定を行っておく。
ここでは、各テレビ１Ａ，１Ｂ，１Ｃの機能を略同一とし、テレビ１Ａから始めてテレビ１Ｂ，１Ｃの順で設定を行う場合を説明する。
【００２４】
まず、テレビ１Ａのリモコン８を操作し、パワーキーでオンにした後、メニューキーを押す。
すると、制御部１０がこれに応じて表示制御部３を動作させ、モニタ４の画面にメニューを表示させる。
このメニューの中で、設定の項目を選択すると、図４に示すように、基本設定、同時番組通知設定、伝言設定等が表示される。
【００２５】
最初に、ユーザーが基本設定を選択すると、図５に示す如く「親機で登録しますか」「子機で登録しますか」の文字が表示される。
ここで、ユーザーが親機側を選択すると、制御部１０はこのテレビ１Ａを親機と認識し、識別用アドレスとして、アトランダムの数値データをメモリ１０ａに記憶させる。
【００２６】
なお、この数値データは、図示省略しているが、従来周知のアドレスデータ生成部を動作させて取得するようになっている。
また、制御部１０は、図６に示すように、画面に「このテレビを親機として登録します」の文字を表示させる。
そして、この識別用アドレスデータは、制御部１０がモデム１１に送出し、他のテレビ側に送信させる。
【００２７】
つぎに、ユーザーがテレビ１Ｂの設定を行う場合、そのリモコン８を操作して、図５に示した「親機で登録しますか」「子機で登録しますか」の文字を画面に表示させる。
ここで、ユーザーが子機側を選択すると、制御部１０はこのテレビ１Ｂを子機と認識し、図７に示すように、「子機の番号を選択して下さい」「１〜ｎ」を表示する。
【００２８】
そして、ユーザーが子機１を選択するため、□欄に黒点チェックを入れると、制御部１０はこのテレビ１Ｂを子機１と認識し、アドレスデータ生成部に識別用アドレスを生成させて、そのデータをメモリ１０ａに記憶させる。
また、この識別用アドレスデータは、その制御部１０がモデム１１に送出し、他のテレビ側に送信する。
【００２９】
さらに、ユーザーがテレビ１Ｃの設定を行うとき、そのリモコン８で子機側を選択した後、表示に応じて子機の番号２を選択すると、制御部１０はこのテレビ１Cを子機２と認識し、前述の如く識別用アドレスを生成させる。
そして、そのデータをメモリ１０ａに記憶させるとともに、モデム１１側に送出し、他のテレビ側にも送信する。
よって、各テレビ１Ａ，１Ｂ，１Ｃには、他のテレビや隣家のテレビとは、異なる固有のアドレスデータが付与され、混同することなく相互の通信が可能となる。
【００３０】
続いて、ユーザーは、同一番組の通知設定を行う。テレビ１Ａにおいては、そのリモコン８を操作し、図４に示したメニューのうち、「同一番組通知設定」を選択する。
すると、制御部１０は、図９に示すように、通知設定しますか」“ＹＥＳ”“ＮＯ”を表示させる。
【００３１】
ここで、ユーザーが“ＹＥＳ”側の□欄に黒点チェックを入れると、現在聴視しているチャンネルを他のテレビに自動通知する設定がなされる。この同一番組通知設定は、他のテレビ１Ｂ，１Ｃについても行っておく。
このように、同一番組通知設定がなされたときは、各テレビの制御部１０が設定データをそのモデム１１に送出し、他のテレビ側にそれぞれ送信する。
【００３２】
この後、ユーザーは、伝言通知の設定を行う。この場合は、まずテレビ１Ａのリモコン８を操作し、図４に示したメニューから「伝言設定」を選択する。
すると、制御部１０は、図１０に示すように、「伝言１：電話着信有（電話有）」「伝言２：食事」「伝言３：外出中」といった文字を表示させる。また、「設定しますか」“ＹＥＳ”“ＮＯ”を表示させる。
ここで、ユーザーが「伝言１：電話有」を選択し、“ＹＥＳ”側の□欄に黒点チェックを入れると、この伝言が設定される。
【００３３】
さらに、伝言２、伝言３の設定を行い、予め入力されている他の伝言があれば、順次表示させて必要なものを設定する。
このような伝言設定は、テレビ１Ｂ，１Ｃについても順次行っておく。
なお、各伝言は、リモコン８のテンキーに対応させており、ユーザーが通知を行うときに、例えば、テンキー１を押すと、「伝言１：電話有」が選択されるようになっている。
このように、伝言設定がなされたときは、各テレビの制御部１０が設定データをそのモデム１１に送出し、他のテレビ側にそれぞれ送信する。
【００３４】
次に、ユーザーの居宅に設置された各テレビの表示動作について説明する。  
テレビ１Ａのユーザーが、リモコン８を操作し、例えば、チャンネル１を選局すると、制御部１０が画面に映像を表示させ、これに同期してスピーカから音声を放音させる。
【００３５】
また、制御部１０は、モデム１１にチャンネル１のデータを送出し、テレビ１Ｂ，１Ｃ側に送信させる。
このため、テレビ１Ｂ，１Ｃのユーザーが、それぞれオンにしていると、図１１に示すように、画面の下方に“Ｃｈ１”from：テレビＡが表示される。
【００３６】
よって、画面の映像を見ていると、テレビＡの選局チャンネルが１であることを知り、同一番組であることから一緒に視聴することができる。
なお、チャンネル１を３に切り換えると、テレビ１Ｂ，１Ｃの画面にはＣｈ３が表示される。このため、同一番組を各個別に視聴する場合の無駄がなくなり、経済的である。
【００３７】
続いて、テレビ１Ａのユーザーが伝言通知をする必要が生じた場合、そのリモコン８を操作し、メニューで「伝言の通知先指定」を選択する。
すると、その制御部１０は、図１２に示す如く「伝言１〜伝言ｎ」と、「全機」「親機」「子機１〜３」を画面に表示させる。
【００３８】
ここで、ユーザーが「伝言１」「子機２」の□欄に黒点チェックを入れると、「電話有」およびテレビＣが決定される。制御部１０は、このデータをモデム１１に送出し、テレビ１Ｃ側に送信させる。
このため、テレビ１Ｃは、画面の下方に図１３に示すような、to：テレビＣ“電話有”を表示させる。
よって、このテレビ１Ｃを視ている２階のユーザーは、不在中に電話があったことを知ることができる。
【００３９】
ところで、このテレビ１Ｃは、電源がオフになっているときに、伝言データが入力すると、制御部１０が赤色のＬＥＤ６を点滅させる。
よって、ユーザーは、赤色ＬＥＤ６の点滅に気付くと、不在中に何か伝言があったことを知り、テレビ１Ｃをオンにして内容を確認することができる。
このように、必要に応じてユーザーがリモコン８を操作し、特定のテレビまたは全てのテレビに伝言を送って表示させることができるので、日常生活での利便性が高められる。
【００４０】
なお、上記実施形態では、伝言を数例設定する場合について説明したが、必要に応じてさらに多数の伝言を設定することができる。
また、本発装置明は上記実施形態に限定されず、本発明の趣旨を逸脱しない範囲で、種々の変更が可能である。
【図面の簡単な説明】
【００４１】
【図１】本発明の一実施形態である共同聴視システムが適用された家屋を示す概要説明図である。
【図２】共同聴視システムのテレビの概要構成を示す電気的ブロック線図である。
【図３】共同聴視システムのモデムの概要構成を示す電気的ブロック線図である。
【図４】メニュー設定の表示例を示す画面図である。
【図５】基本設定を示す画面図である。
【図６】親機登録を示す画面図である。
【図７】子機設定を示す画面図である。
【図８】子機登録を示す画面図である。
【図９】同一番組通知設定を示す画面図である。
【図１０】伝言設定を示す画面図である。
【図１１】チャンネルを示す画面図である。
【図１２】伝言の通知先指定を示す画面図である。
【図１３】電話有を示す画面図である。
【符号の説明】
【００４２】
１      テレビジョン受像機
８      入力手段
１０    制御手段
１０ａ  第１記憶手段  
１０ｂ  第２記憶手段  
１１    モデム
【図１】
2008311774.tif 000003
【図２】
2008311774.tif 000004
【図３】
2008311774.tif 000005
【図４】
2008311774.tif 000006
【図５】
2008311774.tif 000007
【図６】
2008311774.tif 000008
【図７】
2008311774.tif 000009
【図８】
2008311774.tif 000010
【図９】
2008311774.tif 000011
【図１０】
2008311774.tif 000012
【図１１】
2008311774.tif 000013
【図１２】
2008311774.tif 000014
【図１３】
2008311774.tif 000015